(57)【要約】【課題】妊婦や腹部リンパ浮腫の患者等に対して、着脱が容易で肌に優しく、しかも必要な部位には十分な締付力が作用する着心地の良い腹部支持機能を有する下半身用衣類を提供する。【解決手段】伸縮性の身生地による胴部２と左右一対の脚部５，６と股部７を備えた下半身用衣類で、少なくとも左右方向中央部が股部高さに配された下縁と、左の腸骨部上部から右の側腹部上部に向けて上方に傾斜する上縁を備え、腹部を覆うように左右端縁が胴部の左右脇部で身生地に接合された伸縮性帯状生地でなる右腹帯部３０と、右腹帯部３０と略対称に配された左腹帯部３２と、少なくとも左右方向中央部が股部高さに配された下縁と、左右の側腹部上部を結ぶ上縁を備え、胴部の左右脇部で身生地に接合された伸縮性帯状生地でなる中央腹帯部３４と、を備え、右腹帯部と左腹帯部と中央腹帯部が下腹部で重畳するように配置されている。【選択図】図６
2019007095.tif 000002
【特許請求の範囲】
【請求項１】
伸縮性を備えた身生地で構成され、胴部と左右一対の脚部と股部を備えた腹部支持機能を有する下半身用衣類であって、
少なくとも左右方向中央部が股部高さに配された下縁と、左の腸骨部上部から右の側腹部上部に向けて上方に傾斜する上縁を備えた伸縮性の帯状生地で構成され、腹部を覆うように左右端縁が前記胴部の左右脇部で前記身生地に接合されている右腹帯部と、
少なくとも左右方向中央部が股部高さに配された下縁と、右の腸骨部上部から左の側腹部上部に向けて上方に傾斜する上縁を備えた伸縮性の帯状生地で構成され、腹部を覆うように左右端縁が前記胴部の左右脇部で前記身生地に接合されている左腹帯部と、
少なくとも左右方向中央部が股部高さに配された下縁と、左右の側腹部上部を結ぶ上縁を備えた伸縮性の帯状生地で構成され、腹部を覆うように左右端縁が前記胴部の左右脇部で前記身生地に接合されている中央腹帯部と、
を備え、
前記右腹帯部と前記左腹帯部と前記中央腹帯部が下腹部で重畳するように配置されている腹部支持機能を有する下半身用衣類。
【請求項２】
上縁と下縁を備えた伸縮性の帯状生地で構成され、腰部を覆うように左右端縁が前記胴部の左右脇部で前記身生地または各腹帯部の端縁に接合された腰部支持部をさらに備えている請求項１記載の腹部支持機能を有する下半身用衣類。
【請求項３】
前記身生地は編地のコース方向が前記胴部の周方向に沿うように配された緯編地で構成され、
前記右腹帯部と前記左腹帯部は編地のコース方向が丈方向に沿うように配された緯編地で構成されている請求項１または２記載の腹部支持機能を有する下半身用衣類。
【請求項４】
前記中央腹帯部は編地のコース方向が丈方向に沿うように配された緯編地で構成されている請求項１から３の何れかに記載の腹部支持機能を有する下半身用衣類。
【請求項５】
前記中央腹帯部は前記右腹帯部及び前記左腹帯部よりも肌側に配されている請求項１から４の何れかに記載の腹部支持機能を有する下半身用衣類。
【請求項６】
前記右腹帯部と前記左腹帯部と前記中央腹帯部が身生地の表地側に配されている請求項５記載の腹部支持機能を有する下半身用衣類。
【請求項７】
前記右腹帯部と前記左腹帯部と前記中央腹帯部の下縁の一部が前記股部で接合されている請求項１から５の何れかに記載の腹部支持機能を有する下半身用衣類。
【請求項８】
前記右腹帯部と前記左腹帯部と前記中央腹帯部の左右端縁が前記胴部の左右脇部中央に対して後身頃側で身生地に接合されている請求項１から７の何れかに記載の腹部支持機能を有する下半身用衣類。
【請求項９】
前記右腹帯部及び前記左腹帯部の下縁は、鼠蹊部より上方に位置するように配されている請求項１から８の何れかに記載の腹部支持機能を有する下半身用衣類。
【請求項１０】
前記身生地は前記胴部の開口側で伸長率が大きくなるように切替えられている請求項１から９の何れかに記載の腹部支持機能を有する下半身用衣類。
【請求項１１】
前記身生地及び帯状生地は熱変形性弾性糸とそれ以外の糸がプレーティング編みで編成され、ヒートセット加工で前記熱変形性弾性糸が熱変形されることにより解れ止め加工された緯編地で構成されている請求項１から１０の何れかに記載の腹部支持機能を有する下半身用衣類。
【請求項１２】
前記胴部は、前身頃と後身頃が一体に編成された筒状編地で構成され、または前身頃と後身頃が接着剤で接合された筒状編地で構成されている請求項１１記載の腹部支持機能を有する下半身用衣類。
【発明の詳細な説明】
【技術分野】
【０００１】
本発明は、伸縮性を備えた身生地で構成され、胴部と左右一対の脚部と股部を備えた腹部支持機能を有する下半身用衣類に関する。
【背景技術】
【０００２】
妊娠中期以降、下腹部が膨出するにつれて重心が前に移動するようになるため、妊婦は立位では腰を反らせ、座位では骨盤後傾姿勢を取ることで身体のバランスを保とうとする。
【０００３】
しかし、このような姿勢では骨盤周辺の筋肉に負担がかかり、骨盤痛や腰痛が発生するため、従来、妊娠中期から臨月までの間は、お腹を下から持ち上げることで骨盤後傾を矯正し、腰痛を予防するために妊婦帯が用いられている。
【０００４】
特許文献１には、妊婦の背面側腰部の上端付近から下腹部にかけて斜め下方に向かって巻かれる帯状であって、その両端部が前面側において互いに着脱可能になっており、かつ、前記背面側腰部の上端付近から前記下腹部に沿った方向に弾性力を有する下腹ベルト部と、前記下腹ベルト部の背面側に接続されると共に、前記妊婦の胸椎に沿って背面側に配置され、前記胸椎に沿った方向に弾性力を有する背中ベルト部と、前記背中ベルト部の上端部に接続されると共に、前記妊婦の肩部に掛けられることで前記肩部に対して位置決めされる肩ベルト部とを備えていることを特徴とする妊婦帯が開示されている。
【０００５】
特許文献２には、ショーツに一体に組み込まれた妊婦帯として、伸縮性布地によってパンティー本体を縫製し、該パンティー本体の裏地側に、その腰当部より腹下当部に沿って伸縮性ネット地よりなるフロントベルトを縫合し、さらに両側の腰骨当部に前記同様の伸縮性ネット地よりなるサイドアップ布地を縫合したことを特徴とする妊婦帯が開示されている。
【０００６】
特許文献３には、全体に伸縮性ある生地で構成されたガードルであって、後身頃のウエスト部中央に、後幅の４０〜５５％幅で、広幅のゴム弾性あるテープがウエストの幅方向に伸縮性を有する状態で取り付けられていること、及び前身頃は、前記テープと縫着したウエスト部から腹部中央にかけて下方に湾曲した切替線を有しており、切替線の下方には、切替線を上辺とする実質的に逆三角形状をとる、弾性の強い素材からなる下腹部が形成されており、切替線の上方の上腹部及び後身頃の前記テープの下方は、柔軟な素材からなること、及び前記下腹部と上腹部が腹部中央部にダーツを取った状態で縫着されていることを特徴とする産前ガードルが開示されている。
【先行技術文献】
【特許文献】
【０００７】
【特許文献１】特開２００８−１４４３１９号公報
【特許文献２】実開昭５６−５９０１１号公報
【特許文献３】特許第４３０９９９３号公報
【発明の概要】
【発明が解決しようとする課題】
【０００８】
特許文献１に開示されたような従来の妊婦帯は、効果を高めるために正しい位置でしっかりと固定することが推奨されており、装着時に面ファスナーなどを用いて下腹ベルト部の固定位置を調整するように構成されているため、下腹部の膨出の程度に応じて適切な位置に調整できるようになる。
【０００９】
しかし、一般の妊婦にとって下腹ベルト部のような腹帯の固定位置が正しい位置であるか否かを正確に判断するのは容易でなく、固定位置が間違っていると所期の効果が得られないだけでなく、間違った位置で腹帯を締付固定することにより不快な圧迫感を感じたり胎児や母体に悪影響を及ぼしたりする虞もあった。
【００１０】
また、立位姿勢で腹帯を正しい位置に固定でき快適な状態であったとしても、座位姿勢に変化すると腹部と臀部の形状と骨盤周辺の骨の位置が変化するので腹帯の圧迫感が変化してしまい快適な状態が維持されるとは限らず、反対に座位姿勢で腹帯を正しい位置に固定でき快適な状態であったとしても、立位姿勢に変化すると腹部と臀部の形状と骨盤周辺の骨の位置が変化するので腹帯の圧迫感が変化してしまい快適な状態が維持されるとは限らない。
【００１１】
特許文献２に記載されたようなショーツに一体に組み込まれた妊婦帯であれば、装着のたびに腹帯を固定する煩雑な操作が不要となるばかりでなく、固定位置が適切な位置であるか否かを判断する必要もなくなる。
【００１２】
しかし、特許文献１に開示されたような弾性の強い厚手の腹帯により得られる十分な支持力を、特許文献２に記載されたような身生地の裏地側に縫着された「伸縮性ネット地」で確保するのは困難であった。
【００１３】
仮に、そのような大きな支持力を確保するべく、パワーネットのような弾性の強い「伸縮性ネット地」を用いると、全体的に大きな締付力が作用して不快に思うばかりでなく、身生地の伸縮特性と大きく異なる結果、着心地が悪化するという問題もあった。
【００１４】
また、特許文献３に記載されたような編地で構成される身生地に裏打ちされた伸縮性布帛でなる「弾性の強い素材からなる逆三角形状の下腹部」を備えたガードルでは、「弾性の強い素材からなる逆三角形状の下腹部」が妊婦の下腹部を一様に上方に押し上げるように作用するが、その縁部より外側の押し上げ力が作用しない身生地側との境界で腹部に対する締付力が急激に変わるので不快に感じるばかりでなく、全体的に締付力が強いガードルという特性上、姿勢に制約のある妊婦にとっては、着脱に時間を要し煩雑であるという問題もあった。
【００１５】
本発明の目的は、上述した問題点に鑑み、着用者が妊婦や腹部リンパ浮腫の患者等であっても、着脱が容易で肌に優しくありながらも、必要な部位には十分な締付力が作用する着心地の良い腹部支持機能を有する下半身用衣類を提供する点にある。
【課題を解決するための手段】
【００１６】
上述の目的を達成するため、本発明による腹部支持機能を有する下半身用衣類の第一の特徴構成は、特許請求の範囲の書類の請求項１に記載した通り、伸縮性を備えた身生地で構成され、胴部と左右一対の脚部と股部を備えた腹部支持機能を有する下半身用衣類であって、少なくとも左右方向中央部が股部高さに配された下縁と、左の腸骨部上部から右の側腹部上部に向けて上方に傾斜する上縁を備えた伸縮性の帯状生地で構成され、腹部を覆うように左右端縁が前記胴部の左右脇部で前記身生地に接合されている右腹帯部と、少なくとも左右方向中央部が股部高さに配された下縁と、右の腸骨部上部から左の側腹部上部に向けて上方に傾斜する上縁を備えた伸縮性の帯状生地で構成され、腹部を覆うように左右端縁が前記胴部の左右脇部で前記身生地に接合されている左腹帯部と、少なくとも左右方向中央部が股部高さに配された下縁と、左右の側腹部上部を結ぶ上縁を備えた伸縮性の帯状生地で構成され、腹部を覆うように左右端縁が前記胴部の左右脇部で前記身生地に接合されている中央腹帯部と、を備え、前記右腹帯部と前記左腹帯部と前記中央腹帯部が下腹部で重畳するように配置されている点にある。
【００１７】
右腹帯部と左腹帯部と中央腹帯部とで着用者の下腹部が周りから保護するように優しく支持される。仮にそれぞれの腹帯部を肌に優しい緩やかな伸縮生地で構成しても、右腹帯部と左腹帯部と中央腹帯部が重畳する下腹部中央部で大きな張力が作用して上方に向けた大きな支持力が得られるようになる。その結果、妊娠中期以降、子宮が大きくなり下垂するようになっても、効果的に子宮を下腹部から上方に持ち上げるような支持力が作用するので、膀胱の圧迫が抑制されて頻尿が改善されるようになる。また、下腹部中央から左右脇部にかけて腹部を支持する左右の腹帯部に加えて中央腹帯部でも腹部が支持されるので、左右の腹帯部の上縁で支持力が急激に変動することもなく、極めて良好な支持力と着心地の双方を確保することができるようになる。
【００１８】
同第二の特徴構成は、同請求項２に記載した通り、上述の第一の特徴構成に加えて、上縁と下縁を備えた伸縮性の帯状生地で構成され、腰部を覆うように左右端縁が前記胴部の左右脇部で前記身生地または各腹帯部の端縁に接合された腰部支持部をさらに備えている点にある。
【００１９】
上述の構成によれば、胴部の左右脇部で前記身生地または各腹帯部の端縁に接合された胴部支持部によって腰椎が支持され、同時に各腹帯部に掛かる被着用者の腹部の荷重が安定的に支持される。
【００２０】
同第三の特徴構成は、同請求項３に記載した通り、上述の第一または第二の特徴構成に加えて、前記身生地は編地のコース方向が前記胴部の周方向に沿うように配された緯編地で構成され、前記右腹帯部と前記左腹帯部は編地のコース方向が丈方向に沿うように配された緯編地で構成されている点にある。
【００２１】
一般的に緯編地はコース方向への伸縮性がウェール方向への伸縮性よりも大きいという特徴がある。そのため、コース方向が胴部の周方向に沿うように配された身生地は胴部の周方向に大きく伸縮するようになり、コース方向が丈方向に沿うように配された右腹帯部と左腹帯部は丈方向に大きく伸縮するようになる。その結果、身生地と右腹帯部及び／または左腹帯部とが重畳した領域と重畳しない領域で着用者の腹部に作用する締付力が調整され、下腹部中央から左右側腹部に沿って右腹帯部と左腹帯部による緊締力が生じて着用者の子宮を持ち上げる力が作用するとともに、右腹帯部及び左腹帯部が重畳することがない臍部周辺では身生地が周方向に大きく伸長して、持ち上げられた子宮の上方をある程度開放するように作用して、心地よい締付力と履き心地が得られるようになる。
【００２２】
同第四の特徴構成は、同請求項４に記載した通り、上述の第一から第三の何れかの特徴構成に加えて、前記中央腹帯部は編地のコース方向が丈方向に沿うように配された緯編地で構成されている点にある。
【００２３】
コース方向が胴部の周方向に沿うように配された身生地は胴部の周方向に大きく伸縮するようになり、コース方向が丈方向に沿うように配された中央腹帯部は丈方向に大きく伸縮するようになる。その結果、身生地と中央腹帯部とが重畳した領域と重畳しない領域で着用者の腹部に作用する締付力が調整され、下腹部中央から左右側腹部に沿って中央腹帯部による緊締力が生じて着用者の子宮を持ち上げる力が作用するとともに、中央腹帯部が重畳することがない心領域では身生地が周方向に大きく伸長して、持ち上げられた子宮の上方をある程度開放するように作用して、心地よい締付力と履き心地が得られるようになる。中央腹帯部が重畳することがない領域が心窩部及び左右の季肋部にまで亘るように身丈が設定されていてもよいが、中央腹帯部が重畳することがない領域が心窩部及び左右の季肋部にまで亘らないように身丈が設定されていれば、胃を圧迫することがなく好ましい。
【００２４】
同第五の特徴構成は、同請求項５に記載した通り、上述の第一から第四の何れかの特徴構成に加えて、前記中央腹帯部は前記右腹帯部及び前記左腹帯部よりも肌側に配されている点にある。
【００２５】
中央腹帯部と右腹帯部と左腹帯部が重畳した領域が腹部に対して最も大きな支持力が作用し、中央腹帯部と右腹帯部の重畳領域及び中央腹帯部と左腹帯部の重畳領域が腹部に対して次に大きな支持力が作用し、右腹帯部と左腹帯部も何れとも重畳しない中央腹帯部が腹部に対して最も小さな支持力が作用する。そのような場合に、腹部と対向する面積が最も大きな中央腹帯部が肌側に配されていると、右腹帯部と左腹帯部の縁部が肌に食い込むような圧力が中央腹帯部で分散されるようになるので、良好な着心地が得られるようになる。
【００２６】
同第六の特徴構成は、同請求項６に記載した通り、上述の第五の特徴構成に加えて、前記右腹帯部と前記左腹帯部と前記中央腹帯部が身生地の表地側に配されている点にある。
【００２７】
腹部と対向する面積が最も大きな身生地が肌側に配されるため、中央腹帯部と右腹帯部と左腹帯部の重畳した領域の縁部が肌に食い込むような圧力が身生地で分散されるようになるので、良好な着心地が得られるようになる。
【００２８】
同第七の特徴構成は、同請求項７に記載した通り、上述の第一から第五の何れかの特徴構成に加えて、前記右腹帯部と前記左腹帯部と前記中央腹帯部の下縁の一部が前記股部で接合されている点にある。
【００２９】
右腹帯部と左腹帯部と中央腹帯部で生じる支持力に対して着用者の下腹部から作用する反力が股部の接合位置で受け止められるので、安定した支持力が得られるようになる。
【００３０】
同第八の特徴構成は、同請求項８に記載した通り、上述の第一から第七の何れかの特徴構成に加えて、前記右腹帯部と前記左腹帯部と前記中央腹帯部の左右端縁が前記胴部の左右脇部中央に対して後身頃側で身生地に接合されている点にある。
【００３１】
妊婦の月齢が進み腹部が膨出するにつれて腹部を覆う生地が大きく伸張するようになる。そのような場合でも各腹帯部の左右端縁が胴部の左右脇部中央に対して後身頃側で身生地に接合されていれば、月齢にかかわらず各腹帯部による下腹部の支持力及び前後身頃部のバランスを保つことができる。腰部支持部を備えている場合には、さらに良好なバランスを保つことができる。
【００３２】
同第九の特徴構成は、同請求項９に記載した通り、上述の第一から第八の何れかの特徴構成に加えて、前記右腹帯部及び前記左腹帯部の下縁は、鼠蹊部より上方に位置するように配されている点にある。
【００３３】
下腹部が右腹帯部及び左腹帯部で支持される際に、鼠蹊部が押圧されるとリンパの流れが阻害されて浮腫みが生じる虞がある。しかし、左右の腹帯部の下縁が鼠蹊部より上方に位置するように配されていれば、リンパの流れが阻害されるようなことがなく、また左右の腹帯部で下腹部を持ち上げることにより、リンパ浮腫を発症した患者であってもリンパの流れが良好になり症状が改善されるようになる。
【００３４】
同第十の特徴構成は、同請求項１０に記載した通り、上述の第一から第九の何れかの特徴構成に加えて、前記身生地は前記胴部の開口側で伸長率が大きくなるように切替えられている点にある。
【００３５】
腹部支持機能を有する下半身用衣類の着用状態で胴部の開口側が心窩部周辺に位置するようになる。この部位が身生地の収縮力で圧迫されると、子宮により胃部が圧迫されて不快感を催す所謂妊娠後期のつわりを助長するような虞があるが、身生地が胴部の開口側で伸長率が大きくなるように切替えられていれば、そのような不快感を大きく軽減できるようになる。
【００３６】
同第十一の特徴構成は、同請求項１１に記載した通り、上述の第一から第十の何れかの特徴構成に加えて、前記身生地及び帯状生地は熱変形性弾性糸とそれ以外の糸がプレーティング編みで編成され、ヒートセット加工で前記熱変形性弾性糸が熱変形されることにより解れ止め加工された緯編地で構成されている点にある。
【００３７】
このような解れ止め加工された緯編地を用いれば、解れ止めのための端部処理が不要になるので、各生地が重畳される領域やその領域の縁部で生地厚みが大きくなることも無く、良好な着心地が確保できる。
【００３８】
同第十二の特徴構成は、同請求項１２に記載した通り、上述の第十一の特徴構成に加えて、前記胴部は、前身頃と後身頃が一体に編成された筒状編地で構成され、または前身頃と後身頃が接着剤で接合された筒状編地で構成されている点にある。
【００３９】
このような筒状編地であれば、例えば胴部の開口端が長すぎるような場合でも、適宜な長さに切断することができ、しかも特段の端部処理を行なわなくても解れが生じることがない。
【発明の効果】
【００４０】
以上説明した通り、本発明によれば、着用者が妊婦や腹部リンパ浮腫の患者等であっても、着脱が容易で肌に優しくありながらも、必要な部位には十分な締付力が作用する着心地の良い腹部支持機能を有する下半身用衣類を提供することができるようになった。
【図面の簡単な説明】
【００４１】
【図１】本発明による腹部支持機能を有する下半身用衣類の側面視の説明図
【図２】同正面視の説明図
【図３】同背面視の説明図
【図４】（ａ），（ｂ），（ｃ）は腹部支持機能を有する下半身用衣類の各腹帯部の説明図
【図５】腹部の区分の説明図
【図６】別実施形態を示す腹部支持機能を有する下半身用衣類の着用状態の斜め側面視の説明図
【図７】同正面視の説明図
【図８】同背面視の説明図
【発明を実施するための形態】
【００４２】
以下、本発明による腹部支持機能を有する下半身用衣類を説明する。
図１，図２，図３には、平置きされた腹部支持機能を有する下半身用衣類１（以下、単に「下半身用衣類１」と記す。）の外観が示されている。下半身用衣類１は、伸縮性を備えた身生地で構成され、前身頃３及び後身頃４でなる胴部２と、左右一対の脚部５，６と、股部７を備えている。符号２Ａは胴部開口である。
【００４３】
身生地は綿糸とポリウレタン糸が混用され編成されたフライス編地で構成され、詳述すると丸編み機で編成された筒状編地で構成されている。筒状編地の上端と下端が切断され、上端が胴部開口２Ａに構成され、下端が脚部５，６に構成されている。筒状編地の下端中央部が前後にわたって切り欠かれ、矩形形状のマチ用の生地が身生地に接合されて脚部５，６の一部及び股部７が構成されている。なお、股部７にマチ用の別途の生地を備えない場合もあり、その場合は脚部５,６の分岐点から１０ｃｍ以内の領域を股部７とする。股部７の肌側には綿の当て布が接合されている。
【００４４】
身生地の表側には、前身頃３側に右腹帯部３０と左腹帯部３２と中央腹帯部３４となる生地片が接合され、後身頃４側に腰部支持部４０となる生地片が接合されている。肌側から中央腹帯部３４、左腹帯部３２、右腹帯部３０の順に配されている。なお、中央腹帯部３４が左腹帯部３２及び右腹帯部３０よりも肌側に配置されていることが好ましく、左腹帯部３２と右腹帯部３０は何れが肌側に配されていてもよい。
【００４５】
本明細書で「接合」との用語は、生地同士を一体に結合する処理の総称として用いており、具体的には糸で縫い合わせる縫着処理、熱可塑性樹脂でなる接着剤で接着する接着処理等が含まれる。以下では主に縫着処理により接合される例を説明するが、接着処理であってもよいことはいうまでもない。
【００４６】
接着剤となる熱可塑性樹脂として、例えば、ポリウレタン系ホットメルト樹脂、ポリエステル系ホットメルト樹脂、ポリアミド系ホットメルト樹脂、ＥＶＡ系ホットメルト樹脂、ポリオレフィン系ホットメルト樹脂、スチレン系エラストマー樹脂、湿気硬化型ウレタン系ホットメルト樹脂、反応型ホットメルト樹脂等が挙げられる。中でも反応型ホットメルト樹脂は、接着強度が高く、しかも短時間での接着が可能な点で特に好ましい。
【００４７】
図５には、以下の説明の便宜のために、臍の配置を中心に上下左右それぞれ３区分した際の腹部の各領域と下半身用衣類１の対応関係が示されている。臍部Ｅの上部領域が心窩部Ｂ、下部領域が下腹部Ｈ、臍部Ｅの右側領域が右側腹部Ｄ、左側領域が左側腹部Ｆ、心窩部Ｂの右側領域が右季肋部Ａ、左側領域が左季肋部Ｃ、下腹部Ｈの右側領域が右腸骨部Ｇ、左側領域が左腸骨部Ｉと称する。
【００４８】
図４（ａ）に示すように、中央腹帯部３４は、下半身用衣類１の着用状態で、左右の腸骨部下部から股部７に向けて下方に傾斜する下縁３４Ｌと、左右の側腹部上部を結ぶ上縁３４Ｕを備えた伸縮性の帯状生地で構成され、腹部を覆うように左右端縁３４Ｓが胴部２の左右脇部８で身生地に接合されている。
【００４９】
図４（ｂ）に示すように、左腹帯部３２は、下半身用衣類１の着用状態で、左右の腸骨部下部から股部７に向けて下方に傾斜する下縁３２Ｌと、右の腸骨部上部から左の側腹部上部に向けて上方に傾斜する上縁３２Ｕを備えた伸縮性の帯状生地で構成され、腹部を覆うように左右端縁３２Ｓが胴部２の左右脇部８で身生地に接合されている。
【００５０】
図４（ｃ）に示すように、右腹帯部３０は、下半身用衣類１の着用状態で、左右の腸骨部下部から股部７に向けて下方に傾斜する下縁３０Ｌと、左の腸骨部上部から右の側腹部上部に向けて上方に傾斜する上縁３０Ｕを備えた伸縮性の帯状生地で構成され、腹部を覆うように左右端縁３０Ｓが胴部２の左右脇部８で身生地に接合されている。
【００５１】
中央腹帯部３４の下縁３４Ｌと、左腹帯部３２の下縁３２Ｌと、右腹帯部３０の下縁３０Ｌはほぼ同じ位置に配され、中央腹帯部３４の上縁３４Ｕの右側脇部と右腹帯部３０の上縁３０Ｕの右側脇部が同じ高さに位置し、中央腹帯部３４の上縁３４Ｕの左側脇部と左腹帯部３２の上縁３２Ｕの左側脇部が同じ高さに位置するように配され、右腹帯部３０と左腹帯部３２と中央腹帯部３４が下腹部で重畳するように配置されている。
【００５２】
図３に示すように、腰部支持部４０は、上縁４０Ｕと下縁４０Ｌを備えた伸縮性の帯状生地で構成され、腰部を覆うように左右端縁４０Ｓが胴部２の左右脇部８で身生地に接合されている。腰部支持部４０の左右端縁４０Ｓが、右腹帯部３０、左腹帯部３２及び中央腹帯部３４の左右端部と直接接合されていてもよいし、各腹帯部の左右端部及び身生地と一体に接合されていてもよい。
【００５３】
右腹帯部３０と左腹帯部３２と中央腹帯部３４と腰部支持部４０は何れも身生地と同じく、綿糸とポリウレタン糸が混用されて編成されたフライス編地で構成されている。
【００５４】
図６，７，８には、上述した下半身用衣類１の着用状態の外観が示されている。本実施形態では、前身頃３と後身頃４とが別体で構成され、脇部８で接合されている。先の実施形態と同様に、右腹帯部３０と左腹帯部３２と中央腹帯部３４とで着用者の下腹部が周りから保護するように優しく支持されるとともに、腰部支持部４０によって腰椎が支持される。
【００５５】
それぞれの腹帯部３０，３２，３４を肌に優しい緩やかな伸縮生地で構成しても、右腹帯部３０と左腹帯部３２と中央腹帯部３４が重畳する下腹部中央部で大きな張力が作用して上方に向けた大きな支持力が得られるようになる。
【００５６】
その結果、妊娠中期以降、子宮が大きくなり下垂するようになっても、着心地の悪化を招くことなく、効果的に子宮を下腹部から上方に持ち上げるような支持力が作用する。特に、下腹部中央部で上方に向けた大きな支持力が作用するため、膀胱の圧迫が効果的に抑制されて頻尿が改善されるようになる。
【００５７】
また、下腹部中央から左右脇部にかけて腹部を支持する左右の腹帯部３０，３２に加えて中央腹帯部３４でも腹部が支持されるので、左右の腹帯部３０，３２の上縁３０Ｕ，３２Ｕで支持力が急激に変動することもなく、極めて良好な支持力と着心地の双方を確保することができるようになる。
【００５８】
胴部２及び脚部５，６を構成する身生地は編地のコース方向が胴部２の周方向に沿うように配された緯編地で構成されているのに対して、右腹帯部３０と左腹帯部３２は編地のコース方向が丈方向に沿うように配された緯編地で構成されている。
【００５９】
一般的に緯編地はコース方向への伸縮性がウェール方向への伸縮性よりも大きいという特徴がある。そのため、コース方向が胴部２の周方向に沿うように配された身生地は胴部２の周方向に大きく伸縮するようになり、コース方向が丈方向に沿うように配された右腹帯部３０と左腹帯部３２は丈方向に大きく伸縮するようになる。
【００６０】
その結果、身生地と右腹帯部３０及び／または左腹帯部３２とが重畳した領域と重畳しない領域で着用者の腹部に作用する胴回り方向及び丈方向の締付力が調整され、下腹部中央から左右側腹部に沿って右腹帯部３０と左腹帯部３２による緊締力が生じて着用者の子宮を上方に持ち上げる力が作用するとともに、右腹帯部３０及び左腹帯部３２が重畳することがない臍部周辺では身生地が周方向に大きく伸長して、持ち上げられた子宮の上方をある程度開放するように作用して、心地よい締付力と履き心地が得られるようになる。
【００６１】
中央腹帯部３４も編地のコース方向が丈方向に沿うように配された緯編地で構成されていることが好ましく、身生地と中央腹帯部３４とが重畳した領域と重畳しない領域で着用者の腹部に作用する締付力が調整され、下腹部中央から左右側腹部に沿って中央腹帯部による緊締力が生じて着用者の子宮を持ち上げる力が作用するとともに、中央腹帯部が重畳することがない心窩部及び左右の季肋部では身生地が周方向に大きく伸長して、持ち上げられた子宮の上方をある程度開放するように作用して、心地よい締付力と履き心地が得られるようになる。
【００６２】
中央腹帯部３４と右腹帯部３０と左腹帯部３２が重畳した領域が腹部に対して最も大きな支持力が作用し、中央腹帯部３４と右腹帯部３０の重畳領域及び中央腹帯部３４と左腹帯部３２の重畳領域が腹部に対して次に大きな支持力が作用し、右腹帯部３０と左腹帯部３２の何れとも重畳しない中央腹帯部３４が腹部に対して最も小さな支持力が作用する。
【００６３】
そのような場合に、腹部と対向する面積が最も大きな中央腹帯部３４が肌側に配されていると、右腹帯部３０と左腹帯部３２の縁部が肌に食い込むような圧力が中央腹帯部３４で縁部の境界で分散されるようになるので、良好な着心地が得られるようになる。
【００６４】
また、右腹帯部３０と左腹帯部３２と中央腹帯部３４が身生地の表地側に配されていることが好ましく、腹部と対向する面積が最も大きな身生地が肌側に配されるようになり、中央腹帯部３４と右腹帯部３０と左腹帯部３２の重畳した領域の縁部が肌に食い込むような圧力が身生地で分散されるようになり、良好な着心地が得られるようになる。
【００６５】
右腹帯部３０と左腹帯部３２と中央腹帯部３４の下縁の一部（中央最下部）が股部７でともに身生地に接合されていることが好ましく、右腹帯部３０と左腹帯部３２と中央腹帯部３４で生じる支持力に対して着用者の下腹部から作用する反力が股部７の接合位置で受け止められ、安定した支持力が得られるようになる。なお、右腹帯部３０と左腹帯部３２と中央腹帯部３４の下縁の一部（中央最下部）が身生地と接合されていなくても所期の効果は得られる。
【００６６】
右腹帯部３０と左腹帯部３２と中央腹帯部３４の上縁３０Ｕ，３２Ｕ，３４Ｕ及び股部７を除く下縁３０Ｌ，３２Ｌ，３４Ｌが身生地に接合されることなく、身生地から浮いた状態になり、着用者の姿勢に応じて身生地と各腹帯部の間である程度の相対移動が許容されるように構成されている。その結果、立位、座位、側臥位などの様々に姿勢変化しても、各縁部を接合した場合に生じる局所的な異常な張力が作用することなく、優しい腹部支持状態が維持されるようになる。
【００６７】
右腹帯部３０及び左腹帯部３２の下縁３０Ｌ，３２Ｌは、鼠蹊部より上方に位置するように配されていることが好ましい。着用者の下腹部が右腹帯部３０及び左腹帯部３２で支持される際に、鼠蹊部が押圧されるとリンパの流れが阻害されて浮腫みが生じる虞があることに配慮するものである。
【００６８】
左右の腹帯部３０，３２の下縁３０Ｌ，３２Ｌが鼠蹊部より上方に位置するように配されていれば、リンパの流れが阻害されるようなことがなく、また左右の腹帯部３０，３２で下腹部を持ち上げることにより、リンパ浮腫を発症した患者であってもリンパの流れが良好になり症状が改善されるようになる。
【００６９】
本実施形態では、身生地及び帯状生地３０，３２，３４，４０は、ともに低融点ポリウレタン糸などの熱変形性弾性糸とそれ以外の綿糸などの糸がプレーティング編みで編成され、ヒートセット加工で熱変形性弾性糸が熱変形されることにより解れ止め加工された緯編地で構成されている。
【００７０】
それぞれ異なる給糸口から編み針に給糸して編み立てられたプレーティング編地は、各編成ループにおける低融点ポリウレタン弾性糸と綿糸との配置が安定しているため、全てのループに低融点ポリウレタン弾性糸を隣接させることができ、編立後のヒートセット加工により低融点ポリウレタン弾性糸を溶融すれば、編地の全てのループで確実にほつれ止め機能が発現するようになる。
【００７１】
当該ヨコ編地は丸編機を用いて筒状シームレスの編地に編成された後にセット機にセットされて１５０〜１９０℃でヒートセットされ、必要に応じて染色工程を経た後に再度セット機にセットされ、張力がかけられた状態で１００〜１２０℃の温度で最終的なヒートセットが行なわれる。
【００７２】
熱変形性弾性糸として低融点ポリウレタン弾性糸のような熱融着性弾性糸を用いる以外に、ポリウレタンウレア弾性繊維を用いることも可能である。ヒートセット加工等の加熱加工によりポリウレタンウレア弾性繊維同士またはポリウレタンウレア弾性繊維と相手糸との接触点でポリウレタンウレア弾性繊維の圧縮変形が発生し、ポリウレタンウレア弾性繊維同士またはポリウレタンウレア弾性繊維への相手糸の固着が生じるため、編地からポリウレタンウレア弾性繊維や相手糸が抜けにくくなり、カールや解れが抑制された編地を得ることができる。
【００７３】
つまり、加熱処理により溶融し或いは圧縮変形するような特性を備えた熱変形性弾性糸であれば低融点ポリウレタン弾性糸やポリウレタンウレア弾性糸以外の繊維も値用可能である。熱変形温度とは、ポリウレタンの軟化温度やポリウレタンウレアの圧縮変形温度等、解れ止め機能を具現化するために熱変形する温度を意味する。
【００７４】
このような解れ止め加工された緯編地を用いれば、切断端部の解れ止めのための端部処理が不要になるので、各生地が重畳される領域やその領域の縁部で生地厚みが大きくなることも無く、良好な着心地が確保できる。
【００７５】
下半身用衣類１の着用状態で胴部２の開口２Ａ側が心窩部周辺に位置するようになり、この部位が身生地の収縮力で圧迫されると、例えば、子宮により胃部が圧迫されて不快感を催す所謂妊娠後期のつわりを助長するような虞がある。そのような場合でも、例えば、胴部開口２Ａ側をリング状に切断することで着丈が短くなるように調整することで、胃部を開放して不快感を解消することができる。なお、前身頃３と後身頃４を脇部で接合する場合には、胴部開口２Ａ側を切断しても解れが生じないように、接着処理により接合することが好ましい。
【００７６】
身生地の身幅方向の３０％定伸長時伸長力（JIS L1096 B法）の下限値は０．０５Ｎが好ましく、より好ましい下限値は０．１Ｎが例示でき、上限値は２Ｎが好ましく、より好ましい上限値は１．５Ｎ、さらに好ましい上限値は１Ｎが例示できる。
【００７７】
左右腹帯部の身幅方向の３０％定伸長時伸長力（JIS L1096 B法）の下限値は０．４Ｎ（＊０．４Ｎで間違いないでしょうか？）が好ましく、より好ましい下限値は０．５Ｎが例示でき、上限値は５Ｎが好ましく、より好ましい上限値は３．５Ｎ、さらに好ましい上限値は３Ｎが例示できる。
【００７８】
中央腹帯部の身幅方向の３０％定伸長時伸長力（JIS L1096 B法）の下限値は０．０５Ｎが好ましく、より好ましい下限値は０．１Ｎが例示でき、上限値は５Ｎが好ましく、より好ましい上限値は３Ｎ、さらに好ましい上限値は２Ｎが例示できる。
【００７９】
身幅方向の３０％定伸長時伸長力が上記のような水準にあれば、着用時の生地の伸びによって適度なサポート力が発揮され、締め付けがきつくなり過ぎずに腹部を支持することができ、好ましい。
【００８０】
身生地の身幅方向の３０％定伸長時伸長力（JIS L1096 B法）は左右腹帯部、中央腹帯部、各腹帯部いずれかの身幅方向の３０％定伸長時伸長力と等しいかそれ未満とすることができ、それ未満とする場合、身幅方向の３０％定伸長時伸長力が、身生地＜中央腹帯部の生地＜左右腹帯部の生地、とすることができる。
【００８１】
より好ましくはこのような順位であると同時に、左右腹帯部の生地の身幅方向の３０％定伸長時伸長力が、身生地の身幅方向の３０％定伸長時伸長力の１．５倍以上４倍未満であることが好ましい。このように各生地の身幅方向の３０％定伸長時伸長力を設定することで、腹部を持ち上げるような作用が効果的に発揮されつつも、腹部の窮屈感がなく適度なサポート感が得られるため好ましい。
【００８２】
身生地の身幅方向の伸長回復率（JIS L1096 D法）は３０％伸長繰り返しにおいて５０〜１００％が好ましく、より好ましくは６０〜１００％、さらに好ましくは７０〜１００％が例示できる。
【００８３】
中央腹帯部の身幅方向の伸長回復率（JIS L1096 D法）は３０％伸長繰り返しにおいて６０〜１００％が好ましく、より好ましくは７０〜１００％、さらに好ましくは８０〜１００％が例示できる。
【００８４】
左右腹帯部の身幅方向の伸長回復率（JIS L1096 D法）は３０％伸長繰り返しにおいて６０〜１００％が好ましく、より好ましくは７５〜１００％、さらに好ましくは９０〜１００％が例示できる。
【００８５】
各生地の身幅方向の伸長回復率が上記のような範囲にあることで、着脱がしやすく、かつ着用繰り返しによる寸法変化が抑制され、いわゆるダレが小さく保たれることで衣類としての品位が長期間保たれるため好ましい。
【００８６】
右腹帯部３０と左腹帯部３２と中央腹帯部３４の左右端縁が胴部の左右脇部中央に対して後身頃側で身生地に接合されていることが好ましい。例えば、妊婦の月齢が進み腹部が膨出するにつれて腹部を覆う生地が大きく伸張するようになる。
【００８７】
そのような場合でも各腹帯部３０，３２，３４の左右端縁３０Ｓ，３２Ｓ，３４Ｓが胴部２の左右の脇部中央に対して後身頃側で身生地に接合されていれば、月齢にかかわらず腰部支持部による支持力と各腹帯部による下腹部の支持力のバランスを良好に保つことができる。
【００８８】
右腹帯部３０の下縁３０Ｌ、左腹帯部３２の下縁３２Ｌ、中央腹帯部３４の下縁３４Ｌのそれぞれが、着用状態で左右の腸骨部下部から股部７に向けて下方に傾斜するように構成された例を説明したが、各腹帯部の下縁は少なくとも左右方向中央部が股部高さに配されていればよく、例えば、下縁全体が股部高さに配されていてもよい。また、各腹帯部の下縁形状は必ずしも重複状態で一致している必要もなく、多少のずれが生じていてもよい。
【００８９】
なお、下半身用衣類１として、腰部支持部４０を備えていない構成であってもよく、そのような構成であっても、各腹帯部３０，３２，３４の左右端縁３０Ｓ，３２Ｓ，３４Ｓが胴部２の左右の脇部中央に対して後身頃側で身生地に接合されていれば、月齢にかかわらず各腹帯部による下腹部の支持力及び前後身頃部のバランスを保つことができる。
【００９０】
前身頃と後身頃が別体で構成される場合には、前身頃３の身巾を後身頃４の身巾よりも長くなるように構成して、各腹帯部３０，３２，３４の左右端縁３０Ｓ，３２Ｓ，３４Ｓの接合位置と前身頃３と後身頃４の接合位置を一致させることが好ましい。
【００９１】
身生地は胴部２の開口２Ａ側で伸長率が大きくなるように切替えられていることが好ましい。上述したように月齢が進み、身生地の収縮力で心窩部が圧迫されるようになると、不快感を催す所謂妊娠後期のつわりを助長するような虞があるが、身生地が胴部２の開口２Ａ側で伸長率が大きくなるように切替えられていれば、そのような不快感を大きく軽減できるようになる。
【００９２】
上述の実施形態で説明した腹部支持機能を有する下半身用衣類は本発明の一例であり、該記載により本発明の範囲が限定されるものではなく、各部の具体的構成（身生地や各腹帯部を構成する編地の種類、糸種、繊度等）は本発明の作用効果が奏される範囲で適宜変更設計可能であることはいうまでもない。
【産業上の利用可能性】
【００９３】
本発明は、着脱が容易で肌に優しくありながらも、必要な部位には十分な締付力が作用する着心地の良い腹部支持機能を有する下半身用衣類、例えば妊婦用ショーツ等として、好適に使用できる。
【符号の説明】
【００９４】
１：腹部支持機能を有する下半身用衣類
２：胴部
２Ａ：胴部開口
３：前身頃
４：後身頃
５：左脚部
６：右脚部
７：股部
８：接合部
３０：右腹帯部
３２：左腹帯部
３４：中央腹帯部
４０：腰部支持部
【図１】
2019007095.tif 000003
【図２】
2019007095.tif 000004
【図３】
2019007095.tif 000005
【図４】
2019007095.tif 000006
【図５】
2019007095.tif 000007
【図６】
2019007095.tif 000008
【図７】
2019007095.tif 000009
【図８】
2019007095.tif 000010